(57)【要約】【課題】表示特性を向上した上で輝度の低下を抑制する。【解決手段】電子ペーパー用のカラーフィルタ１０は、透明基材１１と、透明基材上に設けられた着色層１３と、を備える。着色層は、マトリクス状に配置された複数の単位画素１６を有する。各単位画素は、第１着色エリア２０と、第２着色エリア３０と、第３着色エリア４０と、空きエリア５５又は白色エリア５０と、を有する。第１着色エリア、第２着色エリア及び第３着色エリアに対応する平面位置に散乱層１４が設けられている。空きエリア又は白色エリアに対応する部分には散乱層が設けられていない。【選択図】図１
2016118709.tif 000002
【特許請求の範囲】
【請求項１】
電子ペーパー用のカラーフィルタであって、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリア、前記第２着色エリア及び前記第３着色エリアに対応する平面位置に散乱層が設けられ、
前記空きエリア又は前記白色エリアに対応する部分には前記散乱層が設けられていない、ことを特徴とするカラーフィルタ。
【請求項２】
前記空きエリア又は前記白色エリアの可視光の透過率は、前記第１着色エリア、前記第２着色エリア及び前記第３着色エリアの可視光の透過率より高い、ことを特徴とする請求項１に記載のカラーフィルタ。
【請求項３】
前記散乱層は、前記着色層の前記透明基材と反対側に設けられている、ことを特徴とする請求項１又は請求項２に記載のカラーフィルタ。
【請求項４】
前記散乱層の表面と前記白色エリアの表面は、面一になっている、ことを特徴とする請求項３に記載のカラーフィルタ。
【請求項５】
前記散乱層は、前記着色層と前記透明基材との間に設けられている、ことを特徴とする請求項１又は請求項２に記載のカラーフィルタ。
【請求項６】
前記第１着色エリアの表面、前記第２着色エリアの表面、前記第３着色エリアの表面、及び、前記白色エリアの表面は、面一になっている、ことを特徴とする請求項５に記載のカラーフィルタ。
【請求項７】
電子ペーパー用のカラーフィルタであって、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリア、前記第２着色エリア及び前記第３着色エリアは、散乱粒子を含み、
前記白色エリアは前記散乱粒子を含まない、ことを特徴とするカラーフィルタ。
【請求項８】
前記第１着色エリア、前記第２着色エリア及び前記第３着色エリアのうち少なくとも２つは、互いに散乱特性が異なる、ことを特徴とする請求項７に記載のカラーフィルタ。
【請求項９】
請求項１から請求項８の何れかに記載のカラーフィルタと、
前記カラーフィルタに対向するように配置された、白表示及び黒表示を行う反射型表示素子と、
を備えることを特徴とする電子ペーパー。
【発明の詳細な説明】
【技術分野】
【０００１】
本発明は、電子ペーパー用のカラーフィルタ及び電子ペーパーに関する。
【背景技術】
【０００２】
近年、フラットタイプの表示装置である電子ペーパーの開発が進められている。電子ペーパーは、周囲の光（以下、「環境光」とも言う）の反射光を制御することで、文字や画像等を表示する。このような電子ペーパーは、低消費電力である、目が疲れない、及び、直射日光下での視認性が良い等の優れた特性を有する。
【０００３】
また、カラー表示可能な電子ペーパーとして、複数色の着色層を有するカラーフィルタと、白表示および黒表示を行うことが可能な反射型表示素子と、を備えるものが知られている（例えば、特許文献１参照）。この電子ペーパーは、反射型表示素子を用いて白表示を行うことによって環境光を反射させ、反射光をカラーフィルタに透過させることによって所望のカラー画像表示を行うことができる。
【先行技術文献】
【特許文献】
【０００４】
【特許文献１】特開２００３−２８００４４号公報
【発明の概要】
【発明が解決しようとする課題】
【０００５】
電子ペーパーにおいて、紙に近い表示特性、及び、広い視野角の表示特性が望まれている。このような表示特性を実現するためには、カラーフィルタ上に散乱層を設け、反射光を散乱層で散乱させる構成が考えられる。
しかしながら、この構成では、散乱層の影響で輝度が低下してしまう。
【０００６】
本発明は、このような点を考慮してなされたものであり、表示特性を向上した上で輝度の低下を抑制できるカラーフィルタ及び電子ペーパーを提供することを目的とする。
【課題を解決するための手段】
【０００７】
本発明の一実施形態に係る電子ペーパー用のカラーフィルタは、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリア、前記第２着色エリア及び前記第３着色エリアに対応する平面位置に散乱層が設けられ、
前記空きエリア又は前記白色エリアに対応する部分には前記散乱層が設けられていない、ことを特徴とする。
【０００８】
上記カラーフィルタにおいて、
前記空きエリア又は前記白色エリアの可視光の透過率は、前記第１着色エリア、前記第２着色エリア及び前記第３着色エリアの可視光の透過率より高くてもよい。
【０００９】
上記カラーフィルタにおいて、
前記散乱層は、前記着色層の前記透明基材と反対側に設けられていてもよい。
【００１０】
上記カラーフィルタにおいて、
前記散乱層の表面と前記白色エリアの表面は、面一になっていてもよい。
【００１１】
上記カラーフィルタにおいて、
前記散乱層は、前記着色層と前記透明基材との間に設けられていてもよい。
【００１２】
上記カラーフィルタにおいて、
前記第１着色エリアの表面、前記第２着色エリアの表面、前記第３着色エリアの表面、及び、前記白色エリアの表面は、面一になっていてもよい。
【００１３】
本発明の他の実施形態に係る電子ペーパー用のカラーフィルタは、
透明基材と、
前記透明基材上に設けられた着色層と、を備え、
前記着色層は、マトリクス状に配置された複数の単位画素を有し、
前記各単位画素は、第１着色エリアと、第２着色エリアと、第３着色エリアと、空きエリア又は白色エリアと、を有し、
前記第１着色エリア、前記第２着色エリア及び前記第３着色エリアは、散乱粒子を含み、
前記白色エリアは前記散乱粒子を含まない、ことを特徴とする。
【００１４】
上記カラーフィルタにおいて、
前記第１着色エリア、前記第２着色エリア及び前記第３着色エリアのうち少なくとも２つは、互いに散乱特性が異なってもよい。
【００１５】
本発明の一実施形態に係る電子ペーパーは、
前記カラーフィルタと、
前記カラーフィルタに対向するように配置された、白表示及び黒表示を行う反射型表示素子と、
を備えることを特徴とする。
【発明の効果】
【００１６】
本発明によれば、表示特性を向上した上で輝度の低下を抑制できる。
【図面の簡単な説明】
【００１７】
【図１】第１の実施形態に係る電子ペーパーの概略構成を示す縦断面図である。
【図２】カラーフィルタを図１の矢印Ｉ方向から見た平面図である。
【図３】第２の実施形態に係るカラーフィルタの概略構成を示す縦断面図である。
【図４】第３の実施形態に係るカラーフィルタの概略構成を示す縦断面図である。
【図５】第４の実施形態に係るカラーフィルタの概略構成を示す縦断面図である。
【図６】第５の実施形態に係るカラーフィルタの概略構成を示す縦断面図である。
【図７】第６の実施形態に係るカラーフィルタの概略構成を示す縦断面図である。
【発明を実施するための形態】
【００１８】
以下、図面を参照して本発明の実施の形態について説明する。なお、本明細書に添付する図面においては、図示と理解のしやすさの便宜上、適宜縮尺および縦横の寸法比等を、実物のそれらから変更し誇張してある。
【００１９】
（第１の実施形態）
まず図１を参照して、電子ペーパー１００全体について説明する。
【００２０】
電子ペーパー
図１は、第１の実施形態に係る電子ペーパー１００の概略構成を示す縦断面図である。図１に示すように、電子ペーパー１００は、電子ペーパー用のカラーフィルタ１０と、カラーフィルタ１０に対向するように配置された、白表示及び黒表示を行う反射型表示素子８０と、を備えている。
【００２１】
カラーフィルタ１０は、透明基材１１と、透明基材１１上に設けられたブラックマトリクス層（以下、ＢＭ層と称す）１２と、透明基材１１上に設けられた複数色の着色層１３と、着色層１３上に設けられた散乱層１４と、を備える。着色層１３は、第１着色エリア２０と、第２着色エリア３０と、第３着色エリア４０と、白色エリア５０と、を有する。第１着色エリア２０、第２着色エリア３０、第３着色エリア４０及び白色エリア５０のそれぞれは、１つの画素に対応する。
【００２２】
カラーフィルタ１０は、散乱層１４と反射型表示素子８０とが対向するように配置されている。従って、観察者は、透明基材１１側（ｚ方向側）から電子ペーパー１００を観察する。
【００２３】
反射型表示素子８０には、観察者側からカラーフィルタ１０を介して環境光が入射する。反射型表示素子８０は、画素毎に環境光を反射させるか否か制御可能に構成されており、環境光を反射させることにより白表示を行い、環境光を反射させないことにより黒表示を行う。従って、反射型表示素子８０は、バックライトを用いることなく文字や画像を表示することができる。なお、環境光が弱い場合に観察者側から反射型表示素子８０に光を照射するフロントライトを設けてもよい。
【００２４】
反射型表示素子８０の表示方式としては、特に限定されず、公知のものを適用することができ、例えば、電気泳動方式、ツイストボール方式、粉体移動方式（電子粉流体方式、帯電トナー型方式）、液晶表示方式、サーマル方式（発色方式、光散乱方式）、エレクトロクロミック方式、エレクトロウェッティング方式、磁気泳動方式などが挙げられる。
【００２５】
ここでは、一例としてエレクトロウェッティング方式の反射型表示素子８０について概略的に説明する。反射型表示素子８０は、白色基板８１と、白色基板８１上に設けられた複数の第１透明電極８２と、第１透明電極８２上に設けられた疎水性絶縁層８３と、疎水性絶縁層８３上に設けられた複数の画素側壁８４と、隣り合う画素側壁８４間に設けられたオイル層８５と、オイル層８５及び画素側壁８４上に設けられた透明な液体８６と、液体８６上に設けられた第２透明電極８７と、を有する。第２透明電極８７上に透明基板が設けられてもよい。
【００２６】
それぞれのオイル層８５は、対応する第１透明電極８２上に位置している。１組の第１透明電極８２とオイル層８５は、１つの画素に対応している。
【００２７】
第１透明電極８２と第２透明電極８７との間に電圧が印加されていない時には、図示するように、オイル層８５は、隣り合う画素側壁８４間の疎水性絶縁層８３を覆っている。オイル層８５は、例えば黒色に着色されているため、入射した環境光はオイル層８５において反射されず、黒表示が行われる。
【００２８】
一方、ある画素に対応する第１透明電極８２と、第２透明電極８７との間に電圧が印加された時には、図示は省略するが、この画素に対応するオイル層８５は、一方の画素側壁８４側に移動し、この画素に対応する位置の疎水性絶縁層８３には液体８６が接するようになる。これにより、この画素においては、入射した環境光は白色基板８１に到達し、白色基板８１で反射されて白表示が行われる。
【００２９】
このように、電子ペーパー１００は、反射型表示素子８０を用いて白表示を行うことによって環境光を反射させ、反射光をカラーフィルタ１０に透過させることによって所望のカラー画像表示を行うことができる。ここで、反射型表示素子８０からの反射光は散乱層１４で散乱されてからカラーフィルタ１０を透過するため、紙に近い表示特性、及び、広い視野角の表示特性が得られる。
【００３０】
カラーフィルタ
次に図２も参照して、カラーフィルタ１０について詳細に説明する。図２は、カラーフィルタ１０を図１の矢印Ｉ方向から見た平面図である。なお説明の都合上、図２において、散乱層１４は省略されている。また、図１のカラーフィルタ１０の断面図は、図２のＡ−Ａ断面に対応する。
【００３１】
（透明基材）
透明基材１１としては、ＢＭ層１２、着色層１３及び散乱層１４を適切に支持することができ、かつ透明性を有する様々な材料が用いられ、例えばガラスやポリマーなどが用いられる。
【００３２】
（ＢＭ層）
ＢＭ層１２は、観察者側からの環境光および反射型表示素子８０からの反射光を遮蔽するよう構成されている。本実施形態では、ＢＭ層１２はマトリックス状のパターンを有している。
【００３３】
ＢＭ層１２によって画定される複数の領域は、それぞれ、第１着色エリア２０用の領域、第２着色エリア３０用の領域、第３着色エリア４０用の領域および白色エリア５０用の領域の何れかになっている。なお、ＢＭ層１２によって画定される各領域の具体的なパターンは特には限定されない。
【００３４】
ＢＭ層１２の材料としては、所望の遮光性を有するものであれば特に限定されない。例えば、カーボンブラック、チタンブラック等の黒色着色材を含有する樹脂組成物等が挙げられる。この樹脂組成物に用いられる樹脂としては、例えば、アクリレート系、メタクリレート系、ポリ桂皮酸ビニル系、もしくは環化ゴム系等の反応性ビニル基を有する感光性樹脂が使用される。
【００３５】
（着色層）
図２に示すように、着色層１３は、マトリクス状に配置された複数の単位画素１６を有する。各単位画素１６は、マトリクス状に配置された、第１着色エリア２０と、第２着色エリア３０と、第３着色エリア４０と、白色エリア５０と、を有する。以下では、第１着色エリア２０、第２着色エリア３０、及び、第３着色エリア４０を互いに区別する必要がない場合には、これらを着色エリア２０，３０，４０と称する。
【００３６】
着色エリア２０，３０，４０及び白色エリア５０は、ＢＭ層１２によって画定された領域、即ちＢＭ層１２間に設けられている。着色エリア２０，３０，４０の厚さは、ほぼ等しい。白色エリア５０の厚さは、着色エリア２０，３０，４０の厚さより厚い。
【００３７】
第１着色エリア２０、第２着色エリア３０、第３着色エリア４０、及び、白色エリア５０は、ｘ方向に、この順に繰り返し配置されている。このように繰り返し配置された着色エリア２０，３０，４０及び白色エリア５０の組は、ｙ方向に、複数組並んでいる。着色エリア２０，３０，４０及び白色エリア５０の配置順は、図示する例に限らない。
【００３８】
例えば、第１着色エリア２０は、赤色光を透過させる赤色着色層からなり、第２着色エリア３０は、緑色光を透過させる緑色着色層からなり、第３着色エリア４０は、青色光を透過させる青色着色層からなる。
【００３９】
白色エリア５０は、白色光を透過させる白色着色層からなる。より詳細には、白色エリア５０は、可視光を波長域に依らず略均一に透過させる。従って、白色エリア５０の可視光の透過率は、着色エリア２０，３０，４０の可視光の透過率より高い。
【００４０】
このような透過率が高い白色エリア５０を設けることにより、カラーフィルタ１０に着色エリア２０，３０，４０のみが設けられている場合に比べて、カラーフィルタ１０全体としての透過率を向上させることができる。これによって、電子ペーパー１００の輝度を増加させることができる。
【００４１】
着色エリア２０，３０，４０及び白色エリア５０のそれぞれは、感光性を有する着色エリア用材料を、露光工程および現像工程を含むフォトリソグラフィー法によりパターニングすることによって形成される層である。フォトリソグラフィー法によりパターニングされる着色エリア用材料としては、ネガ型およびポジ型のいずれの着色エリア用材料も使用され得る。着色エリア２０，３０，４０及び白色エリア５０を形成する順序は、任意の順序でよい。
【００４２】
〔着色エリア用材料〕
次に、各着色エリア２０，３０，４０及び白色エリア５０を構成する第１着色エリア用材料（以下、第１材料）、第２着色エリア用材料（以下、第２材料）、第３着色エリア用材料（以下、第３材料）及び白色エリア用材料（以下、第４材料）について説明する。各第１〜第３材料は、各色の顔料や染料および分散剤を含む顔料分散体、光開始剤、ポリマーやモノマーを含むクリア剤、および界面活性剤などを含んでいる。第４材料は、これらのうち顔料分散体以外を含んでいる。このうち光開始剤は、光を照射されることによりラジカル成分を発生するものである。またクリア剤には、光開始剤によって発生されたラジカルにより重合反応を起こして硬化する成分と、その後の現像により未露光部が溶解可能となる成分とが少なくとも含まれている。
【００４３】
このように、各着色エリア２０，３０，４０及び白色エリア５０は、対応する色の光を透過させるよう構成されており、一方、ＢＭ層１２は、光を遮蔽するよう構成されている。
【００４４】
（散乱層）
図１に示すように、散乱層１４は、第１着色エリア２０、第２着色エリア３０及び第３着色エリア４０に対応する平面位置に設けられている。散乱層１４は、白色エリア５０に対応する部分には設けられていない。具体的には、散乱層１４は、着色層１３の透明基材１１と反対側、即ち着色層１３の反射型表示素子８０側に設けられている。
【００４５】
散乱層１４の着色層１３とは反対側の表面と、白色エリア５０の表面とは、ほぼ面一になっている。これにより、カラーフィルタ１０と反射型表示素子８０との接合の信頼性を向上できる。
【００４６】
散乱層１４の可視光の透過率は、３５％以上であることが好ましく、より好ましくは７５％以上である。散乱層１４のヘイズ値は、５〜６５程度であってもよい。
【００４７】
散乱層１４は、透明樹脂１７と、透明樹脂１７中に分散され、光散乱作用を発揮する散乱粒子１８と、を含む。
【００４８】
透明樹脂１７は、透明性を有するものであれば特に限定されず、散乱粒子１８との屈折率差等を考慮して適宜選択される。透明樹脂１７としては、例えば、アクリル系樹脂、エポキシ系樹脂等を挙げることができる。
【００４９】
散乱粒子１８の材料としては、光散乱作用を有するものであれば特に限定されない。例えば、酸化チタン、ジルコニア、二酸化珪素、酸化アルミニウム、硫酸バリウム等の無機物、アクリル系樹脂、ジビニルベンゼン系樹脂、ベンゾグアナミン系樹脂、スチレン系樹脂、メラミン系樹脂、アクリル−スチレン系樹脂、ポリカーボネート系樹脂、ポリエチレン系樹脂、ポリ塩化ビニル系樹脂等の有機物、又は、これらの２種以上の混合系等の微粒子を挙げることができる。
【００５０】
散乱粒子１８は、透明性を有していることが好ましい。これにより、散乱層１４の透過率を向上させることができるためである。このような散乱粒子１８としては、例えば、メラミン系樹脂、ベンゾグアナミン系樹脂等が用いられてもよい。
【００５１】
散乱粒子１８の平均粒径は、例えば、１００ｎｍ以上、６００ｎｍ以下の範囲内にある。散乱粒子１８の形状は、例えば、球状であってもよい。散乱粒子１８の屈折率は、透明樹脂１７の屈折率より大きくてもよい。散乱粒子１８の含有量は、光を散乱させることができ、散乱層１４の透明性を損なわない程度の量であれば、特に限定されない。
【００５２】
散乱層１４は、着色エリア２０，３０，４０及び白色エリア５０が形成された後、透明樹脂１７及び散乱粒子１８を含有すると共に感光性を有する散乱層形成用塗工液を着色層１３上に塗布して、露光工程および現像工程を含むフォトリソグラフィー法によりパターニングすることによって形成してもよい。これにより、白色エリア５０に対応する部分には、散乱層１４を形成しないようにできる。
【００５３】
このように、本実施形態によれば、着色エリア２０，３０，４０に対応する部分には散乱層１４が設けられているので、反射型表示素子８０からの反射光が散乱層１４で散乱されることにより、広い視野角の表示特性が得られる。
【００５４】
また、白色エリア５０に対応する部分には散乱層１４が設けられていないので、白色エリア５０を透過する白色光は、散乱層１４により散乱されていない。これにより、反射型表示素子８０自体が、白表示を行う場合に紙の質感を表現できる良好な散乱特性を有する場合に、このような散乱特性を乱すことなく白色光を観察者側に取り出すことができる。従って、反射型表示素子８０の散乱特性を生かして、紙に近い表示特性を得ることができる。
【００５５】
その上、白色エリア５０は着色エリア２０，３０，４０より透過率が高いため、観察者側に取り出される光量が増加し、散乱層１４での散乱による輝度の低下を抑制できる。
以上により、表示特性を向上した上で輝度の低下を抑制できる。
【００５６】
なお、白色エリア５０の厚さを着色エリア２０，３０，４０の厚さとほぼ等しくしてもよい。これにより、散乱層１４を形成する際に、塗布された散乱層形成用塗工液の表面がほぼ平坦になるため、散乱層１４の表面を透明基材１１の表面とほぼ平行にできる。一方、白色エリア５０の厚さが着色エリア２０，３０，４０の厚さより厚い場合では、散乱層１４を形成する際に、塗布された散乱層形成用塗工液の表面が白色エリア５０の部分で凸状に盛り上がる可能性がある。そのため、散乱層１４の反射型表示素子８０側の表面は、白色エリア５０に隣り合う部分において、透明基材１１の表面と平行ではなく傾斜する可能性がある。つまり、散乱層１４は、着色エリア２０，３０，４０に対応する位置において均一な厚さにならない。これにより、位置に応じてヘイズ値が異なり、散乱にムラが生じる可能性がある。白色エリア５０の厚さを着色エリア２０，３０，４０の厚さとほぼ等しくした場合には、このような散乱のムラを抑制できる。
【００５７】
（第２の実施形態）
第２の実施形態は、白色エリア５０に代えて空きエリア５５が設けられている点が第１の実施形態と異なる。以下、第１の実施形態との相違点を中心に説明する。
【００５８】
図３は、第２の実施形態に係るカラーフィルタ１０Ａの概略構成を示す縦断面図である。図３に示すように、着色層１３Ａの各単位画素は、着色エリア２０，３０，４０と、空きエリア５５と、を有する。空きエリア５５は、空間となっている。つまり、カラーフィルタ１０Ａは、第１の実施形態のカラーフィルタ１０から白色エリア５０を取り除いた構成を有している。空きエリア５５の可視光の透過率は、第１の実施形態の白色エリア５０の透過率より高い。
【００５９】
散乱層１４は、着色エリア２０，３０，４０が形成された後、散乱層形成用塗工液を着色層１３Ａ上に塗布して、フォトリソグラフィー法によりパターニングすることによって形成できる。
【００６０】
このように、本実施形態によれば、白色エリア５０よりも透過率が高い空きエリア５５が設けられているため、第１の実施形態よりもカラーフィルタ１０Ａ全体としての透過率を上げることができる。従って、電子ペーパー１００を、より高輝度にすることができる。
【００６１】
また、カラーフィルタ１０Ａを製造する際に、白色エリア５０を形成する工程を削減できるため、安価に製造できる。
また、第１の実施形態の他の効果も得られる。
【００６２】
なお、散乱層１４の形成の際、第１の実施形態と異なり、塗布された散乱層形成用塗工液は、空きエリア５５の部分において凹状になる可能性がある。そのため、散乱層１４の反射型表示素子８０側の表面は、空きエリア５５に隣り合う部分において、透明基材１１の表面と平行ではなく傾斜する可能性がある。このような散乱層１４の形状を抑制したい場合には、第１の実施形態の構成を採用し、白色エリア５０の厚さを着色エリア２０等の厚さとほぼ等しくしてもよい。
【００６３】
（第３の実施形態）
第３の実施形態は、散乱層１４Ｂの設けられた位置が第１の実施形態と異なる。以下、第１の実施形態との相違点を中心に説明する。
【００６４】
図４は、第３の実施形態に係るカラーフィルタ１０Ｂの概略構成を示す縦断面図である。図４に示すように、本実施形態でも、散乱層１４Ｂは、第１着色エリア２０Ｂと、第２着色エリア３０Ｂと、第３着色エリア４０Ｂとに対応する平面位置に設けられている。散乱層１４Ｂは、白色エリア５０Ｂに対応する部分には設けられていない。具体的には、散乱層１４Ｂは、着色層１３Ｂと透明基材１１との間に設けられている。従って、着色層１３Ｂと反射型表示素子８０（図示せず）とが対向する。
【００６５】
このように、着色エリア２０Ｂ，３０Ｂ，４０Ｂは、散乱層１４Ｂ上に設けられ、白色エリア５０Ｂは、透明基材１１上に設けられている。着色エリア２０Ｂ，３０Ｂ，４０Ｂの表面、及び、白色エリア５０Ｂの表面は、ほぼ面一になっている。
【００６６】
散乱層１４Ｂは、散乱層形成用塗工液を、ＢＭ層１２が形成された透明基材１１上に塗布して、フォトリソグラフィー法によりパターニングすることによって形成できる。これにより、白色エリア５０Ｂが形成される部分には、散乱層１４Ｂを形成しないようにできる。
【００６７】
この後、着色エリア２０Ｂ，３０Ｂ，４０Ｂ及び白色エリア５０Ｂのそれぞれは、対応する着色エリア用材料を散乱層１４Ｂが形成された透明基材１１上に塗布して、フォトリソグラフィー法によりパターニングすることによって形成できる。
【００６８】
このように、本実施形態によれば、散乱層１４Ｂが第１の実施形態よりも観察者側に近い位置に配置されているため、第１の実施形態とは異なる散乱特性を得ることができる。例えば、第１の実施形態よりも観察者に近い位置で反射光が散乱されるため、より紙に近い表示特性を得ることができる。
また、第１の実施形態の他の効果も得られる。
【００６９】
（第４の実施形態）
第４の実施形態は、白色エリア５０Ｂに代えて空きエリア５５が設けられている点が第３の実施形態と異なる。以下、第３の実施形態との相違点を中心に説明する。
【００７０】
図５は、第４の実施形態に係るカラーフィルタ１０Ｃの概略構成を示す縦断面図である。図５に示すように、着色層１３Ｃの各単位画素は、着色エリア２０Ｂ，３０Ｂ，４０Ｂと、空きエリア５５と、を有する。空きエリア５５は、空間となっている。つまり、カラーフィルタ１０Ｃは、図４の第３の実施形態のカラーフィルタ１０Ｂから白色エリア５０Ｂを取り除いた構成を有している。
【００７１】
このように、本実施形態によれば、白色エリア５０Ｂよりも透過率が高い空きエリア５５が設けられているため、第３の実施形態よりもカラーフィルタ１０Ｃ全体としての透過率を上げることができる。従って、電子ペーパー１００を、より高輝度にすることができる。
【００７２】
また、カラーフィルタ１０Ｃを製造する際に、白色エリア５０Ｂを形成する工程を削減できるため、安価に製造できる。
また、第３の実施形態の他の効果も得られる。
【００７３】
（第５の実施形態）
第５の実施形態は、着色エリア２０Ｄ，３０Ｄ，４０Ｄが散乱粒子１９を含んでいる点が第１の実施形態と異なる。以下、第１の実施形態との相違点を中心に説明する。
【００７４】
図６は、第５の実施形態に係るカラーフィルタ１０Ｄの概略構成を示す縦断面図である。図６に示すように、着色層１３Ｄの各単位画素は、着色エリア２０Ｄ，３０Ｄ，４０Ｄと、白色エリア５０Ｄと、を有する。第１の実施形態の散乱層１４は設けられていない。
【００７５】
着色エリア２０Ｄ，３０Ｄ，４０Ｄは、散乱粒子１９を含む。白色エリア５０Ｄは、散乱粒子１９を含まない。散乱粒子１９は、必要な表示特性に応じて次のように適宜設定すればよい。散乱粒子１９は、第１の実施形態の散乱粒子１８と同一でもよい。着色エリア２０Ｄ，３０Ｄ，４０Ｄにおいて、散乱粒子１９の種類と含有量は同じであってもよい。また、着色エリア２０Ｄ，３０Ｄ，４０Ｄのうち少なくとも２つは、互いに散乱特性（即ちヘイズ値）が異なるように、散乱粒子１９の種類と含有量の少なくとも何れかは設定されてもよい。
【００７６】
このように、本実施形態によれば、着色エリア２０Ｄ，３０Ｄ，４０Ｄが散乱粒子１９を含んでいるので、カラーフィルタ１０Ｄを製造する際に、散乱層を形成する工程を削減できる。そのため、第１の実施形態よりも安価に製造できる。また、第１の実施形態の効果も得られる。
【００７７】
また、着色エリア２０Ｄ，３０Ｄ，４０Ｄのうち少なくとも２つの散乱特性を互いに異ならせることができるため、第１の実施形態とは異なる散乱特性を得ることができる。例えば、第１の実施形態では、散乱層１４の特性によっては、各色の散乱強度が互いに異なることにより、電子ペーパー１００の正面方向から観察した場合と、斜め方向から観察した場合とにおいて、観察される色が変化する可能性がある。これに対して、本実施形態では、各色の散乱強度を近づけることができるため、観察する角度に応じた色の変化を抑制できる。
【００７８】
（第６の実施形態）
第６の実施形態は、白色エリア５０Ｄに代えて空きエリア５５が設けられている点が第５の実施形態と異なる。以下、第５の実施形態との相違点を中心に説明する。
【００７９】
図７は、第６の実施形態に係るカラーフィルタ１０Ｅの概略構成を示す縦断面図である。図７に示すように、着色層１３Ｅの各単位画素は、着色エリア２０Ｄ，３０Ｄ，４０Ｄと、空きエリア５５と、を有する。空きエリア５５は、空間となっている。つまり、カラーフィルタ１０Ｅは、図６の第５の実施形態のカラーフィルタ１０Ｄから白色エリア５０Ｄを取り除いた構成を有している。
【００８０】
このように、本実施形態によれば、白色エリア５０Ｄよりも透過率が高い空きエリア５５が設けられているため、第５の実施形態よりもカラーフィルタ１０Ｅ全体としての透過率を上げることができる。従って、電子ペーパー１００を、より高輝度にすることができる。
【００８１】
また、カラーフィルタ１０Ｅを製造する際に、白色エリア５０Ｄを形成する工程を削減できるため、第５の実施形態よりも安価に製造できる。
また、第５の実施形態の他の効果も得られる。
【００８２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１０，１０Ａ，１０Ｂ，１０Ｃ，１０Ｄ，１０Ｅ  カラーフィルタ
１１  透明基材
１２  ブラックマトリクス層（ＢＭ層）
１３，１３Ａ，１３Ｂ，１３Ｃ，１３Ｄ，１３Ｅ  着色層
１４，１４Ｂ  散乱層
１６  単位画素
１７  透明樹脂
１８，１９  散乱粒子
２０，２０Ｂ，２０Ｄ  第１着色エリア
３０，３０Ｂ，３０Ｄ  第２着色エリア
４０，４０Ｂ，４０Ｄ  第３着色エリア
５０，５０Ｂ，５０Ｄ  白色エリア
５５  空きエリア
８０  反射型表示素子
１００  電子ペーパー
【図１】
2016118709.tif 000003
【図２】
2016118709.tif 000004
【図３】
2016118709.tif 000005
【図４】
2016118709.tif 000006
【図５】
2016118709.tif 000007
【図６】
2016118709.tif 000008
【図７】
2016118709.tif 000009